(57)【要約】【課題】潜熱交換器での凝縮水の発生を抑制する必要があるときには、的確に凝縮水の発生を抑制し得る潜熱回収式の加熱装置を提供する。【解決手段】潜熱交換器１及び顕熱交換器２にわたる熱媒循環路３を通して熱媒を循環させる循環ポンプ４と、熱媒循環路３における顕熱交換器２から潜熱交換器１に向けて熱媒を通流させる部分の熱媒と加熱対象液とを熱交換する加熱用熱交換器Ｈとが設けられ、制御手段６が、潜熱交換器１にてバーナの燃焼ガスの潜熱を回収する形態で加熱対象液を加熱するように、バーナ５の燃焼量及び循環ポンプ４による熱媒循環量を制御する潜熱回収運転と、潜熱交換器１にてバーナ５の燃焼ガスの潜熱を未回収とする形態で加熱対象液を加熱するように、バーナ５の燃焼量及び循環ポンプ４による熱媒循環量を制御する潜熱未回収運転とに切り換え自在に構成されている。【選択図】図１
2008008589.tif 000002
【特許請求の範囲】
【請求項１】
潜熱交換器及び顕熱交換器にわたる熱媒循環路を通して熱媒を循環させる循環ポンプと、
前記熱媒循環路における前記顕熱交換器から前記潜熱交換器に向けて熱媒を通流させる部分の熱媒と加熱対象液とを熱交換する加熱用熱交換器と、
前記顕熱交換器及び前記潜熱交換器を加熱するバーナと、
前記バーナ及び前記循環ポンプの運転を制御する制御手段とが設けられ、
前記制御手段が、前記潜熱交換器にて前記バーナの燃焼ガスの潜熱を回収する形態で加熱対象液を加熱するように、前記バーナの燃焼量及び前記循環ポンプによる熱媒循環量を制御する潜熱回収運転を実行するように構成された潜熱回収式の加熱装置であって、
前記制御手段が、前記潜熱回収運転と、前記潜熱交換器にて前記バーナの燃焼ガスの潜熱を未回収とする形態で加熱対象液を加熱するように、前記バーナの燃焼量及び前記循環ポンプによる熱媒循環量を制御する潜熱未回収運転とに切り換え自在に構成されている潜熱回収式の加熱装置。
【請求項２】
加熱対象液の未加熱液を加熱対象液の加熱済液に混合し且つその混合量を調節自在な混合手段が設けられ、
前記制御手段が、前記潜熱未回収運転として、熱媒を潜熱未回収用の設定循環量で循環させるように前記循環ポンプを運転し、前記顕熱交換器にて加熱された熱媒の温度が潜熱未回収用の設定温度になるように前記バーナの燃焼量を制御するように構成され、且つ、未加熱液を加熱済液に混合後の加熱対象液の温度が加熱目標温度になるように、前記混合手段を制御するように構成されている請求項１記載の潜熱回収式の加熱装置。
【請求項３】
前記潜熱交換器に供給される熱媒の温度を検出する潜熱交換器供給温度検出手段が設けられ、
前記制御手段が、前記潜熱未回収運転において、前記バーナの燃焼量と前記バーナの燃焼ガスの露点温度との関係として定められた燃焼量対露点温度情報、及び、前記潜熱交換器供給温度検出手段の検出情報に基づいて、前記潜熱交換器に供給される熱媒の温度が現在の前記バーナの燃焼量に対応する露点温度以下であると判断すると、前記バーナの燃焼量調節範囲を変更設定して、その変更設定した燃焼量調節範囲で前記バーナの燃焼量を調節するように構成されている請求項２記載の潜熱回収式の加熱装置。
【請求項４】
前記制御手段が、前記潜熱未回収運転において、前記燃焼量対露点温度情報及び前記潜熱交換器供給温度検出手段の検出情報に基づいて、前記潜熱交換器に供給される熱媒の温度を現在の前記バーナの燃焼量に対応する燃焼ガスの露点温度よりも高い状態で低温側に調節すべく、前記潜熱未回収用の設定温度又は前記潜熱未回収用の設定循環量を変更設定するように構成されている請求項３記載の潜熱回収式の加熱装置。
【請求項５】
前記バーナの燃焼ガスを排出する排気筒の内面又は前記潜熱交換器の表面の温度を検出する露点用温度検出手段が設けられ、
前記制御手段が、前記バーナの燃焼開始後における前記露点用温度検出手段の検出温度の径時変化に基づいて、その検出温度の上昇率が露点検出用の設定上昇率以下になったときの検出温度を現在の前記バーナの燃焼量に対応する露点温度として検出するように構成され、且つ、その検出した露点温度に基づいて前記燃焼量対露点温度情報を補正するように構成されている請求項３又は４記載の潜熱回収式の加熱装置。
【請求項６】
前記潜熱交換器にて発生する凝縮水を貯留するドレンタンク内の凝縮水を、前記加熱用熱交換器にて加熱された加熱対象液としての湯水を浴槽に供給する給湯用配管を用いて排水するドレン排水手段が設けられ、
前記制御手段が、前記給湯用配管が使用中又は前記浴槽に湯水が存在する状態であり且つ前記ドレンタンクにおける凝縮水の貯留量が設定上限量以上のときに前記潜熱未回収運転を実行するように構成されている請求項１〜５のいずれか１項に記載の潜熱回収式の加熱装置。
【発明の詳細な説明】
【技術分野】
【０００１】
本発明は、潜熱交換器及び顕熱交換器にわたる熱媒循環路を通して熱媒を循環させる循環ポンプと、
前記熱媒循環路における前記顕熱交換器から前記潜熱交換器に向けて熱媒を通流させる部分の熱媒と加熱対象液とを熱交換する加熱用熱交換器と、
前記顕熱交換器及び前記潜熱交換器を加熱するバーナと、
前記バーナ及び前記循環ポンプの運転を制御する制御手段とが設けられ、
前記制御手段が、前記潜熱交換器にて前記バーナの燃焼ガスの潜熱を回収する形態で加熱対象液を加熱するように、前記バーナの燃焼量及び前記循環ポンプによる熱媒循環量を制御する潜熱回収運転を実行するように構成された潜熱回収式の加熱装置に関する。
【背景技術】
【０００２】
かかる潜熱回収式の加熱装置は、潜熱回収運転を実行することにより、バーナの燃焼ガスの潜熱をも回収して加熱対象液を加熱するものであり、加熱効率の向上を図っている。
ちなみに、加熱用熱交換器においては、例えば、加熱対象液としての湯水を加熱して、その加熱した湯水を給湯用配管を通して給湯栓や浴槽に供給するようにしたり、風呂用循環路にて循環される浴槽の湯水を加熱して、追焚するようになっている（例えば、特許文献１参照。）。
【０００３】
【特許文献１】特開２００６−１１２７８５号公報
【発明の開示】
【発明が解決しようとする課題】
【０００４】
ところで、このような潜熱回収式の加熱装置において、潜熱交換器での凝縮水の発生を抑制する必要があるときがある。
例えば、潜熱交換器にて発生する凝縮水を元々備えられている配管を用いて排水するように構成した場合に、その配管が使用中のときや、あるいは、凝縮水を排水する配管を敷設していないときである。
【０００５】
そして、このような潜熱回収式の加熱装置において、潜熱交換器での凝縮水の発生を抑制するようにするには、例えば、熱媒循環路に、熱媒を潜熱交換器を迂回して顕熱交換器に供給するバイパス路を設けると共に、そのバイパス路を開閉するバイパス弁を設けて、潜熱交換器での凝縮水の発生を抑制する必要があるときには、バイパス弁を開いて潜熱交換器を通流させる熱媒の流量を減らすことにより、潜熱交換器での凝縮水の発生を抑制するようにすることが考えられる。
【０００６】
しかしながら、潜熱交換器での凝縮水の発生を抑制する必要があるときに、潜熱交換器を通流させる熱媒の流量を減らすにしても、潜熱交換器を熱媒が通流するので、凝縮水が発生することになり、凝縮水の発生を的確に抑制することができない。
ちなみに、潜熱交換器での凝縮水の発生を的確に抑制するために、潜熱交換器に通流させる熱媒の流量を更に減らす、あるいは、潜熱交換器に熱媒を通流させないようにすることが考えられるが、潜熱交換器に滞留している熱媒が沸騰する虞があり、好ましくない。
【０００７】
本発明は、かかる実情に鑑みてなされたものであり、その目的は、潜熱交換器での凝縮水の発生を抑制する必要があるときには、的確に凝縮水の発生を抑制し得る潜熱回収式の加熱装置を提供することにある。
【課題を解決するための手段】
【０００８】
本発明の潜熱回収式の加熱装置は、潜熱交換器及び顕熱交換器にわたる熱媒循環路を通して熱媒を循環させる循環ポンプと、
前記熱媒循環路における前記顕熱交換器から前記潜熱交換器に向けて熱媒を通流させる部分の熱媒と加熱対象液とを熱交換する加熱用熱交換器と、
前記顕熱交換器及び前記潜熱交換器を加熱するバーナと、
前記バーナ及び前記循環ポンプの運転を制御する制御手段とが設けられ、
前記制御手段が、前記潜熱交換器にて前記バーナの燃焼ガスの潜熱を回収する形態で加熱対象液を加熱するように、前記バーナの燃焼量及び前記循環ポンプによる熱媒循環量を制御する潜熱回収運転を実行するように構成されたものであって、
第１特徴構成は、前記制御手段が、前記潜熱回収運転と、前記潜熱交換器にて前記バーナの燃焼ガスの潜熱を未回収とする形態で加熱対象液を加熱するように、前記バーナの燃焼量及び前記循環ポンプによる熱媒循環量を制御する潜熱未回収運転とに切り換え自在に構成されている点を特徴とする。
【０００９】
即ち、潜熱交換器での凝縮水の発生を抑制する必要がないときには、潜熱回収運転を実行して、潜熱交換器にてバーナの燃焼ガスの潜熱を回収する形態で加熱対象液を加熱する。
一方、潜熱交換器での凝縮水の発生を抑制する必要があるときには、潜熱未回収運転を実行して、潜熱交換器にてバーナの燃焼ガスの潜熱を未回収とする形態で加熱対象液を加熱する。
【００１０】
つまり、潜熱回収運転では、加熱用熱交換器にて保有熱を加熱対象液に付与した後に潜熱交換器に供給される熱媒の温度がバーナの燃焼ガスの露点温度以下になるように、バーナの燃焼量及び循環ポンプによる熱媒循環量を制御することになり、潜熱交換器においては、バーナの燃焼ガスに含まれる水蒸気を凝縮させてその凝縮潜熱にて熱媒を加熱することになる。
一方、潜熱未回収運転では、加熱用熱交換器にて保有熱を加熱対象液に付与した後に潜熱交換器に供給される熱媒の温度がバーナの燃焼ガスの露点温度よりも高くなるように、バーナの燃焼量及び循環ポンプによる熱媒循環量を制御することになり、潜熱交換器においては、バーナの燃焼ガスに含まれる水蒸気を凝縮させない状態で、燃焼ガスの顕熱により熱媒を加熱することになる。
この潜熱未回収運転について説明を加えると、潜熱未回収運転では、循環ポンプによる熱媒循環量を極力多くして、加熱用熱交換器での加熱対象液との熱交換による熱媒の温度降下を小さくしながら、その加熱用熱交換器での加熱対象液との熱交換後に潜熱交換器に供給される熱媒の温度が燃焼ガスの露点温度よりも高くなるように、熱媒を高温化すべくバーナの燃焼量を調節することになり、加熱用熱交換器にて加熱対象液を加熱する加熱負荷が大きくとも、潜熱交換器に供給される熱媒の温度をバーナの燃焼ガスの露点温度よりも高くすることが可能となる。
そして、このように潜熱未回収運転を実行することにより、潜熱交換器での凝縮水の発生を的確に抑制することができながら、潜熱交換器にて熱媒が沸騰するといった不都合の発生も防止することができる。
従って、潜熱交換器での凝縮水の発生を抑制する必要があるときには、的確に凝縮水の発生を抑制し得る潜熱回収式の加熱装置を提供することができるようになった。
【００１１】
第２特徴構成は、上記第１特徴構成に加えて、
加熱対象液の未加熱液を加熱対象液の加熱済液に混合し且つその混合量を調節自在な混合手段が設けられ、
前記制御手段が、前記潜熱未回収運転として、熱媒を潜熱未回収用の設定循環量で循環させるように前記循環ポンプを運転し、前記顕熱交換器にて加熱された熱媒の温度が潜熱未回収用の設定温度になるように前記バーナの燃焼量を制御するように構成され、且つ、未加熱液を加熱済液に混合後の加熱対象液の温度が加熱目標温度になるように、前記混合手段を制御するように構成されている点を特徴とする。
【００１２】
即ち、潜熱未回収運転においては、熱媒を潜熱未回収用の設定循環量で循環させるように循環ポンプが運転され、顕熱交換器にて加熱された熱媒の温度が潜熱未回収用の設定温度になるようにバーナの燃焼量が制御され、並びに、未加熱液を加熱済液に混合後の加熱対象液の温度が加熱目標温度になるように、混合手段が制御される。
【００１３】
つまり、加熱用熱交換器にて保有熱を加熱対象液に付与した後に潜熱交換器に供給される熱媒の温度がバーナの燃焼ガスの露点温度よりも高くなるように、潜熱交換器及び顕熱交換器にて熱媒を加熱できるようにすべく、予め、実験等により、潜熱未回収用の設定循環量及び潜熱未回収用の設定温度を定めておく。しかも、その潜熱未回収用の設定温度は、加熱用熱交換器において、加熱対象液を加熱目標温度よりも高い温度に加熱することができるような温度にする。
そして、潜熱交換器での凝縮水の発生を抑制する必要があるときには、熱媒循環量が潜熱未回収用の設定循環量になるように循環ポンプが運転され、顕熱交換器にて加熱された熱媒の温度が潜熱未回収用の設定温度になるようにバーナの燃焼量が制御されるようにすることにより、迅速且つ的確に潜熱交換器に供給される熱媒の温度がバーナの燃焼ガスの露点温度よりも高くなるようにすることができるので、より一層的確に潜熱交換器での凝縮水の発生を抑制することができる。
【００１４】
又、加熱用熱交換器にて、加熱対象液が加熱目標温度よりも高い温度に加熱されることになっても、混合手段により、未加熱液を加熱済液に混合した後の加熱対象液の温度が加熱目標温度になるように、加熱対象液の未加熱液を加熱対象液の加熱済液に混合する混合量が調節されるので、加熱目標温度の加熱対象液を得ることができる。
従って、凝縮水の発生をより一層的確に抑制することができながら、加熱目標温度の加熱対象液を得ることができるようになった。
【００１５】
第３特徴構成は、上記第２特徴構成に加えて、
前記潜熱交換器に供給される熱媒の温度を検出する潜熱交換器供給温度検出手段が設けられ、
前記制御手段が、前記潜熱未回収運転において、前記バーナの燃焼量と前記バーナの燃焼ガスの露点温度との関係として定められた燃焼量対露点温度情報、及び、前記潜熱交換器供給温度検出手段の検出情報に基づいて、前記潜熱交換器に供給される熱媒の温度が現在の前記バーナの燃焼量に対応する露点温度以下であると判断すると、前記バーナの燃焼量調節範囲を変更設定して、その変更設定した燃焼量調節範囲で前記バーナの燃焼量を調節するように構成されている点を特徴とする。
【００１６】
即ち、潜熱未回収運転において、燃焼量対露点温度情報及び潜熱交換器供給温度検出手段の検出情報に基づいて、潜熱交換器に供給される熱媒の温度が現在のバーナの燃焼量に対応する露点温度以下であると判断されると、バーナの燃焼量調節範囲が変更設定されて、その変更設定された燃焼量調節範囲でバーナの燃焼量が調節される。
【００１７】
つまり、バーナの燃焼量が大きくなるほど燃焼ガスの絶対湿度が高くなって露点温度が高くなる傾向となるので、燃焼量対露点温度情報は、バーナの燃焼量が大きくなるほど露点温度が高くなる形態として定められる。
例えば、各別に点消火が可能な複数のバーナ部分にバーナを分割して、燃焼させるバーナ部分の個数を変更することにより、燃焼量を変更するように構成する場合があるが、この場合は、燃焼量が大きくなるほど、燃焼させるバーナ部分の個数が多くなってバーナに供給される燃焼用空気のうち燃焼していないバーナ部分を通過する量が減少して、過剰空気量が少なくなるので、バーナの燃焼量が大きくなるほど燃焼ガスの絶対湿度が高くなって露点温度が高くなる傾向は、特に顕著となる。
【００１８】
熱媒の循環量が潜熱未回収用の設定循環量に一定に調節される状態で、顕熱交換器にて加熱された熱媒の温度が潜熱未回収用の設定温度になるように、バーナの燃焼量が、加熱用熱交換器にて加熱対象液を加熱する加熱負荷が大きくなるほど大きくなるように調節されるにしても、加熱用熱交換器での加熱負荷が大きくなるほど、加熱用熱交換器において熱媒から加熱対象液に与えられる熱量が多くなるので、バーナの燃焼量が大きくなるほど、潜熱交換器に供給される熱媒の温度が低くなる傾向となる。
【００１９】
そして、上述のように、潜熱交換器に供給される熱媒の温度がバーナの燃焼ガスの露点温度よりも高くなるようにすべく、潜熱未回収用の設定循環量及び潜熱未回収用の設定温度を定めたとしても、循環ポンプの特性（回転速度と循環流量との関係）の変動、あるいは、潜熱交換器や顕熱交換器へのスケールの付着等により、潜熱交換器や顕熱交換器での熱交換効率が低下して、潜熱交換器に供給される熱媒の温度が燃焼ガスの露点温度以下になる場合がある。
そこで、燃焼量対露点温度情報及び潜熱交換器供給温度検出手段の検出情報に基づいて、潜熱交換器に供給される熱媒の温度が現在のバーナの燃焼量に対応する露点温度以下であると判断されると、バーナの燃焼量調節範囲を変更設定することにより、潜熱交換器に供給される熱媒の温度が燃焼ガスの露点温度よりも高くなる燃焼量調節範囲で、バーナの燃焼量を調節することが可能となり、潜熱交換器における凝縮水の発生をより一層的確に抑制することができる。
従って、凝縮水の発生をより一層的確に抑制することができるようになった。
【００２０】
第４特徴構成は、上記第３特徴構成に加えて、
前記制御手段が、前記潜熱未回収運転において、前記燃焼量対露点温度情報及び前記潜熱交換器供給温度検出手段の検出情報に基づいて、前記潜熱交換器に供給される熱媒の温度を現在の前記バーナの燃焼量に対応する燃焼ガスの露点温度よりも高い状態で低温側に調節すべく、前記潜熱未回収用の設定温度又は前記潜熱未回収用の設定循環量を変更設定するように構成されている点を特徴とする。
【００２１】
即ち、潜熱未回収運転において、燃焼量対露点温度情報及び潜熱交換器供給温度検出手段の検出情報に基づいて、潜熱交換器に供給される熱媒の温度を現在のバーナの燃焼量に対応する燃焼ガスの露点温度よりも高い状態で低温側に調節すべく、潜熱未回収用の設定温度又は潜熱未回収用の設定循環量が変更設定される。
【００２２】
つまり、潜熱交換器に供給される熱媒の温度が、現在のバーナの燃焼量に対応する燃焼ガスの露点温度よりも高い状態で低温側に調節されるので、潜熱交換器での凝縮水の発生を的確に抑制しながら、その潜熱交換器での熱媒とバーナの燃焼ガスとの熱交換効率を向上することができるものとなり、加熱対象液の加熱効率をより一層向上することができる。
従って、加熱対象液の加熱効率をより一層向上しながらも、凝縮水の発生を的確に抑制することができるようになった。
【００２３】
第５特徴構成は、上記第３又は第４特徴構成に加えて、
前記バーナの燃焼ガスを排出する排気筒の内面又は前記潜熱交換器の表面の温度を検出する露点用温度検出手段が設けられ、
前記制御手段が、前記バーナの燃焼開始後における前記露点用温度検出手段の検出温度の径時変化に基づいて、その検出温度の上昇率が露点検出用の設定上昇率以下になったときの検出温度を現在の前記バーナの燃焼量に対応する露点温度として検出するように構成され、且つ、その検出した露点温度に基づいて前記燃焼量対露点温度情報を補正するように構成されている点を特徴とする。
【００２４】
即ち、バーナの燃焼開始後から、露点用温度検出手段により、排気筒の内面又は潜熱交換器の表面の温度が検出される。
そして、制御手段により、バーナの燃焼開始後における露点用温度検出手段の検出温度の径時変化に基づいて、その検出温度の上昇率が露点検出用の設定上昇率以下になったときの検出温度を現在のバーナの燃焼量に対応する露点温度として検出され、その検出された露点温度に基づいて燃焼量対露点温度情報が補正される。
【００２５】
つまり、バーナの燃焼開始時は、排気筒の内面や、潜熱交換器の表面の温度が低いので、バーナの燃焼ガス中の水蒸気が排気筒の内面や潜熱交換器の表面にて凝縮して、それら排気筒の内面や潜熱交換器の表面に凝縮水が付着することになる。
そして、そのようにバーナの燃焼ガス中の水蒸気が排気筒の内面や潜熱交換器の表面にて凝縮する状態で、排気筒の内面や潜熱交換器の表面の温度が上昇するが、それらの温度が燃焼ガスの露点温度又はそれに近い温度に上昇すると、バーナの燃焼ガス中の水蒸気が凝縮しつつ、排気筒の内面や潜熱交換器の表面に付着した凝縮水が蒸発するので、蒸発潜熱が奪われることにより、排気筒の内面や潜熱交換器の表面の温度上昇率が小さくなる又はゼロになり、排気筒の内面や潜熱交換器の表面に付着した凝縮水が完全に蒸発すると、排気筒の内面や潜熱交換器の表面の温度が再び上昇する。
そこで、露点検出用の設定上昇率をゼロ又はゼロに近い値等、所定の値に設定することにより、バーナの燃焼開始後の露点用温度検出手段の検出温度の上昇率が露点検出用の設定上昇率以下になったときの検出温度を現在のバーナの燃焼量に対応する露点温度として検出するようにすることが可能となる。
【００２６】
そして、そのように検出した燃焼ガスの露点温度に基づいて、燃焼量対露点温度情報を補正することにより、その燃焼量対露点温度情報を実際の潜熱回収式の加熱装置により一層適応したものに補正することが可能となり、潜熱交換器に供給される熱媒の温度を燃焼ガスの露点温度よりも高くするためのバーナの燃焼量調節及び熱媒の循環量調節をより一層適切に行うことができるようになる。
従って、凝縮水の発生をより一層的確に抑制することができるようになった。
【００２７】
第６特徴構成は、上記第１〜第５特徴構成のいずれかに加えて、
前記潜熱交換器にて発生する凝縮水を貯留するドレンタンク内の凝縮水を、前記加熱用熱交換器にて加熱された加熱対象液としての湯水を浴槽に供給する給湯用配管を用いて排水するドレン排水手段が設けられ、
前記制御手段が、前記給湯用配管が使用中又は前記浴槽に湯水が存在する状態であり且つ前記ドレンタンクにおける凝縮水の貯留量が設定上限量以上のときに前記潜熱未回収運転を実行するように構成されている点を特徴とする。
【００２８】
即ち、潜熱交換器にて発生した凝縮水がドレンタンクに貯留され、そのドレンタンク内の凝縮水が設定上限量になると、ドレン排水手段により、ドレンタンク内の凝縮水が加熱用熱交換器にて加熱された加熱対象液としての湯水を浴槽に供給する給湯用配管を用いて排水される。
しかしながら、ドレンタンクにおける凝縮水の貯留量が設定上限量以上になっても、給湯用配管が使用中のとき、又は、浴槽に湯水が存在する状態のときは、ドレン排水手段によりドレンタンク内の凝縮水を排水すると、浴槽の湯水に凝縮水が混合する虞がある。
そこで、給湯用配管が使用中又は浴槽に湯水が存在する状態であり且つドレンタンクにおける凝縮水の貯留量が設定上限量以上のときには、潜熱未回収運転を実行するようにすることにより、ドレンタンクから凝縮水が溢れるのを回避しながら、ドレン排水手段によるドレンの排水を待機することができる。
従って、凝縮水がドレンタンクから溢れるのを防止し且つ凝縮水が浴槽の湯水に混合されるのを防止しながら、ドレンタンク内の凝縮水を、加熱用熱交換器にて加熱された湯水を浴槽に供給する給湯用配管を用いて排水することができるようになった。
【発明を実施するための最良の形態】
【００２９】
〔第１実施形態〕
以下、図面に基づいて、本発明の第１実施形態を説明する。
図１に示すように、潜熱回収式の加熱装置としての熱源機は、潜熱交換器１及び顕熱交換器２にわたる熱媒循環路３を通して熱媒を循環させる熱媒循環ポンプ４と、前記熱媒循環路３における前記顕熱交換器２から前記潜熱交換器１に向けて熱媒を通流させる部分の熱媒と加熱対象液とを熱交換する加熱用熱交換器Ｈと、前記顕熱交換器２及び前記潜熱交換器１を加熱するバーナ５と、この熱源機の運転を制御する制御手段としての制御部６と、その制御部６に各種の制御指令を指令する遠隔操作式の操作部（以下、単にリモコンと記載する）Ｒ等を備えて構成してある。
【００３０】
そして、前記加熱用熱交換器Ｈとして、給水路７を通して供給される加熱対象液としての水を熱媒循環路３を通流する熱媒との熱交換により加熱して給湯路８を通して給湯栓９等の給湯箇所に給湯する給湯用熱交換器１０と、風呂用循環路１１を通して循環される加熱対象液としての浴槽Ｙの浴槽湯水を熱媒循環路３を通流する熱媒との熱交換により加熱する風呂用熱交換器１２とを設けてある。
又、前記給湯路８から分岐した湯張り路１３を前記風呂用循環路１１に接続してある。
【００３１】
つまり、この熱源機は、給湯用熱交換器１０にて加熱された湯水を給湯路８を通して給湯栓９等の給湯箇所に供給する一般給湯処理、給湯用熱交換器１０にて加熱された湯水を給湯路８、湯張り路１３及び風呂用循環路１１を通して浴槽Ｙに供給する湯張り処理、及び、風呂用循環路１１を通流する浴槽湯水を風呂用熱交換器１２にて加熱することにより浴槽Ｙの湯水を追焚する追焚処理を実行可能なように構成してある。
【００３２】
以下、熱源機の各部について説明を加える。
前記バーナ５にガス燃料を供給する燃料供給路１４に、ガス燃料の供給を断続する電磁式のガス開閉弁１５、及び、ガス燃料の供給量を調整する電磁式のガス比例弁１６を設けてある。又、前記バーナ５に燃焼用空気を供給する燃焼ファン１７を設け、更に、図示を省略するが、バーナ５の近くには、バーナ５に対する点火動作を実行する点火用のイグナイタと着火されたか否かを検出するフレームロッドを設けてある。
【００３３】
図示及び詳細な説明を省略するが、前記バーナ５は、各別に点消火が可能な複数のバーナ部分に分割されて、燃焼させるバーナ部分の個数を複数段に変更すると共に、各段においてガス比例弁１６にてガス燃料の供給量を変更調節することにより、燃焼量を変更調節する構成となっている。
【００３４】
燃焼室１８内の一端部に前記バーナ５を配設し、燃焼室１８におけるバーナ５とは反対側の部分に、バーナ５の燃焼ガスを排出する排気筒１９を接続し、その燃焼室１８内に、前記顕熱交換器２、前記潜熱交換器１を、バーナ５から排気筒１９に向かう燃焼ガス流動方向の上手側から順に配設してある。
そして、潜熱交換器１にて、主としてバーナ５の燃焼ガスの潜熱を回収して熱媒を加熱し、顕熱交換器２にて、主としてバーナ５の燃焼ガスの顕熱を回収して前記潜熱交換器１にて加熱された熱媒を加熱するように構成してある。
【００３５】
前記排気筒１９の内面の温度を検出する露点用温度検出手段としての露点用温度センサＳｄを設けてあり、詳細は後述するが、前記制御部６を、この露点用温度センサＳｄの検出温度に基づいて前記バーナ５の燃焼ガスの露点温度を検出するように構成してある。
【００３６】
前記熱媒循環路３における前記顕熱交換器２から前記潜熱交換器１に向けて熱媒を通流させる部分には、膨張タンク２０を設け、更に、その膨張タンク２０よりも熱媒通流方向下流側に位置させて、前記熱媒循環ポンプ４を設けてある。
又、前記熱媒循環路３における前記顕熱交換器２から前記膨張タンク２０に向けて熱媒を通流させる部分には、２系統に並列状に分岐させた並列状流路部分を設け、この並列状流路部分の一方の流路部分に、前記給湯用熱交換器１０を設け、他方の流路部分に、前記風呂用熱交換器１２を設けてある。
【００３７】
更に、前記熱媒循環路３における前記給湯用熱交換器１０側と前記風呂用熱交換器１２側との分岐箇所には、貯給湯用熱交換器１０側に通流させる熱媒の流量と風呂用熱交換器１２側に通流させる熱媒の流量との割合を調整する分流弁２１を設けてある。
そして、この分流弁２１は、熱媒の全量を給湯用熱交換器１０側に通流させたり、熱媒の全量を風呂用熱交換器１２側に通流させたりすることもできるように構成してある。
【００３８】
前記熱媒循環路３における前記潜熱交換器１の入口に接続される箇所には、その潜熱交換器１に供給される熱媒の温度（以下、潜熱交換器入口温度と記載する場合がある）を検出する潜熱交換器供給温度検出手段としての潜熱交換器入口温度センサＳｉを設けてある。
又、前記熱媒循環路３における前記顕熱交換器２の出口に接続される箇所には、その顕熱交換器２から送出される熱媒の温度（以下、顕熱交換器出口温度と記載する場合がある）を検出する顕熱交換器出口温度センサＳｏを設けてある。
【００３９】
前記給水路７には、前記給湯用熱交換器１０への給水温度を検出する給水温度センサＳｗと、給湯用熱交換器１０への給水量を検出する給水量センサ２２とを設け、その給水路７における給水温度センサＳｗ及び給水量センサ２２よりも下流側の部分と前記給湯路８とを、前記給湯用熱交換器１０を迂回するように給水バイパス路２３を介して接続してあり、更に、前記給湯路８における前記給水バイパス路２３の接続箇所には、前記給湯用熱交換器１０からの湯と給水バイパス路２３からの水との混合比を調整する出湯用ミキシング弁２４を設けてある。
つまり、この出湯用ミキシング弁２４は、給水バイパス路２３からの水（加熱対象液の未加熱液に相当する）を給湯用熱交換器１０からの湯（加熱対象液の加熱済液に相当する）に混合し且つその混合量を調節自在な混合手段に相当する。
【００４０】
前記給湯路８における前記出湯用ミキシング弁２４よりも下流側の部分には、上流側から順に、出湯用ミキシング弁２４により混合された後の湯水の温度（以下、給湯温度と記載する場合がある）を検出する給湯温度検出センサＳｈと、湯水の量を調整する水比例弁２５とを設けてある。
【００４１】
前記風呂用循環路１１は、前記浴槽Ｙに設けられた循環アダプタ２６と前記風呂用熱交換器１２の入口とを接続する戻り路１１ｂと、その風呂用熱交換器１２の出口と前記循環アダプタ２６とを接続する往き路１１ｆとを備えて構成し、戻り路１１ｂに風呂用循環ポンプ２７を設けて、その風呂用循環ポンプ２７を駆動することにより、浴槽Ｙ内の湯水を前記風呂用熱交換器１２を通過させる状態で、風呂用循環路１１を通して循環させるように構成してある。
【００４２】
前記風呂用循環路１１の戻り路１１ｂにおける前記風呂用循環ポンプ２７よりも上流側の部分には、上流側から順に、圧力を検出することによって浴槽Ｙ内の水位を検出する水位センサ２８と、浴槽Ｙ内の湯水の温度を検出する戻り温度センサＳｂと、戻り路１１ｂを開閉する電磁式の風呂２方弁２９を設け、前記風呂用循環路１１の戻り路１１ｂにおける前記風呂用循環ポンプ２７よりも下流側の部分には、水流スイッチ３０を設けてある。
又、前記風呂用循環路１１の往き路１１ｆには、前記風呂用熱交換器１２にて加熱された湯水の温度を検出する往き温度センサＳｆを設けてある。
【００４３】
前記戻り路１１ｂにおける前記水流スイッチ３０よりも下流側の部分と、前記往き路１１ｆにおける前記往き温度センサＳｆよりも上流側の部分とを、前記風呂用熱交換器１２を迂回するように追焚用バイパス路３６を介して接続してあり、更に、往き路１１ｆにおける前記追焚用バイパス路３６の接続箇所には、風呂用熱交換器１２にて加熱された湯水と追焚用バイパス路３６からの湯水との混合比を調整する追焚用ミキシング弁３７を設けてある。
つまり、この追焚用ミキシング弁３７は、追焚用バイパス路３６からの湯水（加熱対象液の未加熱液に相当する）を風呂用熱交換器１２からの湯水（加熱対象液の加熱済液に相当する）に混合し且つその混合量を調節自在な混合手段に相当する。
【００４４】
前記湯張り路１３は、前記給湯路８における前記水比例弁２５よりも下流側から分岐させて、前記風呂用循環路１１の戻り路１１ｂにおける風呂二方弁２９と風呂用循環ポンプ２７との間に接続してある。
そして、この湯張り路１３には、上流側から順に、この湯張り路１３を開閉する湯張り電磁弁３１と、湯張り逆止弁３２とを設け、更に、その湯張り路１３における前記湯張り電磁弁３１と湯張り逆止弁３２との間には、その湯張り路１３に連通する空気層形成用ホッパ３３を介装してある。この空気層形成用ホッパ３３から湯水を排水する湯水排水路３４を、前記風呂用循環路１１の戻り路１１ｂにおける前記風呂２方弁２９と循環ポンプ２６との間の箇所に接続し、その湯水排水路３４には、電磁式の排水弁３５を設けてある。
【００４５】
前記潜熱交換器１にて前記バーナ５の燃焼ガスから潜熱を回収する際に、燃焼ガス中の水蒸気が凝縮して酸性の凝縮水（以下、ドレンと称する）が生じることになり、このドレンを集めるドレンパン４１を設けてある。
このドレンパン４１にて集められたドレンは、ドレン送り路４２にて中和器４３に供給して中和した後に、ドレンタンク４４に送って貯留するように構成してある。この中和器４３には、詳述はしないが凝縮水に対して中和作用する中和剤（例えば、炭酸カルシウム）が装填されている。
【００４６】
ドレンタンク４４内に貯留されているドレンを排水するドレン排水路４５を、前記風呂用循環路１１の戻り路１１ｂにおける前記風呂用循環ポンプ２７よりも上流側、例えば、戻り路１１ｂにおける前記湯張り路１３の接続箇所と前記風呂二方弁２９との間の部分に接続してある。
そして、そのドレン排水路４５には、風呂用循環路１１の戻り路１１ｂからドレンタンク４４側への逆流を阻止するドレン排水用逆止弁４６を設け、更に、そのドレン排水路４５と前記風呂用循環路１１の戻り路１１ｂとの接続箇所には、ドレン排水路４５と戻り路１１ｂとの連通を遮断し且つ戻り路１１ｂにおけるドレン排水路４５の接続箇所よりも湯水通流方向上流側部分と湯水通流方向下流側部分とを連通する循環路開放状態と、ドレン排水路４５と戻り路１１ｂとを連通し且つ戻り路１１ｂにおけるドレン排水路４５の接続箇所よりも湯水通流方向上流側部分と湯水通流方向下流側部分との連通を遮断するドレン排水状態とに切り換え自在なドレン排水用三方弁４７を設けてある。
【００４７】
つまり、前記ドレン排水用三方弁４７を前記ドレン排水状態に切り換えて、前記風呂用循環ポンプ２７を駆動させることにより、ドレンタンク４４内のドレンをドレン排水路４５を通して吸引して、前記風呂用循環路１１の戻り路１１ｂにおけるドレン排水用三方弁４７よりも下流側の部分及び風呂用循環路１１の往き路１１ｆを通して前記浴槽Ｙに送って、その浴槽Ｙの排水口（図示省略）から排水するように構成してある。
【００４８】
つまり、前記風呂用循環路１１が、前記加熱用熱交換器Ｈにて加熱された加熱対象液としての湯水を浴槽Ｙに供給する給湯用配管に相当し、前記ドレン排水路４５、前記ドレン排水用三方弁４７及び前記風呂用循環ポンプ２７等により、前記ドレンタンク４４内に貯留されるドレンを前記給湯用配管を用いて排水するドレン排水手段Ｄを構成してある。
【００４９】
前記ドレンタンク４４には、ドレンタンク４４に貯留されるドレンの貯留量が排水開始用設定量（設定上限量に相当する）より少ない状態であればオフ状態になり、貯留量が排水開始用設定量よりも少ない状態から排水開始用設定量より多い状態になるとオフ状態からオン状態に変化する上側検知センサ４８と、ドレンタンク４４のドレンの貯留量が排水停止用設定量より少ない状態であればオフ状態になり、貯留量が排水停止用設定量よりも多い状態になるとオン状態になり、貯留量が排水停止用設定量よりも多い状態から排水停止用設定量よりも少ない状態になると、オン状態からオフ状態に変化する下側検知センサ４９とを備えてある。
【００５０】
前記制御部６は、マイクロコンピュ−タを備えて構成して、前記リモコンＲとの間で通信可能に構成してある。
このリモコンＲには、運転の開始と停止を指令する運転スイッチ５１、風呂自動運転処理を指令する風呂自動スイッチ５２、追焚処理を指令する追焚スイッチ５３、一般給湯温度を設定する給湯温度設定スイッチ５４、風呂自動運転処理や追焚処理での浴槽Ｙの湯水の目標温度を設定する風呂温度設定スイッチ５５、風呂自動運転処理での浴槽Ｙ内の目標水位を設定する水位設定スイッチ５６等を設けてある。
【００５１】
以下、前記制御部６の制御動作について、説明する。
この制御部６は、前記潜熱交換器１にて前記バーナ５の燃焼ガスの潜熱を回収する形態で前記給湯用熱交換器１０又は前記風呂用熱交換器１２にて加熱対象液としての湯水を加熱するように、前記バーナ５の燃焼量及び前記熱媒循環ポンプ４による熱媒循環量を制御する潜熱回収運転と、前記潜熱交換器１にて前記バーナ５の燃焼ガスの潜熱を未回収とする形態で前記給湯用熱交換器１０又は前記風呂用熱交換器１２にて湯水を加熱するように、前記バーナ５の燃焼量及び前記熱媒循環ポンプ４による熱媒循環量を制御する潜熱未回収運転とに切り換え自在に構成してある。
【００５２】
そして、前記制御部６を、前記ドレンタンク４４のドレンを排水することができないドレン排水不可能状態であると判別し、且つ、前記上側検知センサ４８の検出情報に基づいて前記ドレンタンク４４のドレン貯留量が排水開始用設定量（即ち、設定上限量）以上であると判別したときに、潜熱未回収運転を実行し、前記上側検知センサ４８の検出情報に基づいて前記ドレンタンク４４のドレン貯留量が排水開始用設定量未満であると判別したときに潜熱回収運転を実行するように構成してある。
尚、前記ドレン排水不可能状態は、前記風呂用循環路１１を通して湯水を通流させているとき、即ち、前記給湯用配管としての風呂用循環路１１が使用中のとき、又は、前記水位センサ２８の検出情報に基づいて前記浴槽Ｙに湯水が存在していると判別したときである。
【００５３】
又、前記制御部６を、前記潜熱回収運転として、熱媒を潜熱回収用の設定循環量で循環させるように前記熱媒循環ポンプ４を運転し、前記顕熱交換器２にて加熱された熱媒の温度が潜熱回収用の設定温度になるように前記バーナ５の燃焼量を制御するように構成し、且つ、未加熱液を加熱済液に混合後の湯水の温度が加熱目標温度になるように、前記出湯用ミキシング弁２４又は前記追焚用ミキシング弁３７を制御するように構成してある。
【００５４】
又、前記制御部６を、前記潜熱未回収運転として、熱媒を潜熱未回収用の設定循環量で循環させるように前記熱媒循環ポンプ４を運転し、前記顕熱交換器２にて加熱された熱媒の温度が潜熱未回収用の設定温度になるように前記バーナ５の燃焼量を制御するように構成し、且つ、未加熱液を加熱済液に混合後の湯水の温度が加熱目標温度になるように、前記出湯用ミキシング弁２４又は前記追焚用ミキシング弁３７を制御するように構成してある。
【００５５】
前記制御部６は、リモコンＲの運転スイッチ５１が操作されると制御可能な状態になり、給湯栓９が開操作されると給湯栓９から湯水を給湯する一般給湯処理を実行する。この一般給湯処理は、給湯栓９が開栓されて給水量センサ２２による検出水量が所定量以上になると、燃焼用ファン１７を駆動した後、ガス開閉弁１５を開弁し、ガス比例弁１６の開度を調整してイグナイタによりバーナ５に点火する点火制御を実行し、ドレン貯留量が排水開始用設定量未満であると判別したときは、潜熱回収運転を実行し、風呂用循環路１１が使用中又は浴槽Ｙに湯水が存在する状態であり且つドレン貯留量が排水開始用設定量以上であると判別したときは、潜熱未回収運転を実行する。そして、前記給水量センサ２２により通水が検出されなくなると、ガス開閉弁１５及びガス比例弁１６を閉弁し、燃焼用ファン１７を停止して、バーナ５の燃焼を停止する燃焼停止制御を実行して、一般給湯処理を終了する。
【００５６】
この一般給湯処理での潜熱回収運転や潜熱未回収運転では、前記給湯温度設定スイッチ５４の設定温度を前記加熱目標温度として、前記給湯温度センサＳｈの検出温度が前記給湯温度設定スイッチ５４の設定温度になるように、出湯用ミキシング弁２４を制御することになる。
【００５７】
前記制御部６は、リモコン装置Ｒの追焚スイッチ５３が操作されると追焚処理を実行する。つまり、ドレン排水用三方弁４７を循環路開放状態にした状態で風呂用循環ポンプ２７を駆動させて、浴槽Ｙ内の湯水を風呂用循環路１１を通して循環させ、ドレン貯留量が排水開始用設定量未満であると判別したときは、潜熱回収運転を実行し、風呂用循環路１１が使用中であり且つドレン貯留量が排水開始用設定量以上であると判別したときは、潜熱未回収運転を実行する。そして、戻り温度センサＳｂの検出温度が風呂温度設定スイッチ５５にて設定された設定温度になると、風呂用循環ポンプ２７を停止させ、それに伴って水流スイッチ３０にて通水が検出されなくなると、ガス開閉弁１５及びガス比例弁１６を閉弁してバーナ５の燃焼を停止し、燃焼用ファン１７も停止して追焚処理を終了する。
つまり、この追焚処理では、前記風呂循環路１１を通して湯水を通流させることになるので、風呂用循環路１１が使用中となって、ドレン排水不可能状態である判別することになる。
【００５８】
この追焚処理での潜熱回収運転や潜熱未回収運転では、予め設定した追焚用目標温度（例えば６０°Ｃ）を前記加熱目標温度として、前記往き温度センサＳｆの検出温度が前記追焚用目標温度になるように、追焚用ミキシング弁３７を制御することになる。
【００５９】
前記制御部６は、リモコンＲの風呂自動スイッチ５２が操作されると風呂自動運転処理を実行する。この風呂自動運転処理においては、先ず自動湯張り処理を実行し、その自動湯張り処理後、戻り温度センサＳｂの検出温度が風呂温度設定スイッチ５５にて設定された設定温度に対し低下していると、上述の追焚処理を実行する。
この自動湯張り処理は、ドレン排水用三方弁４７を循環路開放状態にした状態で、前記湯張り電磁弁３１を開弁して、ドレン貯留量が排水開始用設定量未満であると判別したときは、潜熱回収運転を実行し、風呂用循環路１１が使用中であり且つドレン貯留量が排水開始用設定量以上であると判別したときは、潜熱未回収運転を実行し、水位センサ２８の検出水位が水位設定スイッチ５６にて設定された目標水位になると、湯張り電磁弁３１を閉弁して浴槽Ｙへの湯張りを終了する。
つまり、この自動湯張り処理では、前記風呂循環路１１を通して湯水を通流させることになるので、風呂用循環路１１が使用中となって、ドレン排水不可能状態であると判別することになる。
【００６０】
この自動湯張り処理での潜熱回収運転や潜熱未回収運転では、前記風呂温度設定スイッチ５５にて設定された設定温度を前記加熱目標温度として、前記給湯温度センサＳｈの検出温度が前記風呂温度設定スイッチ５５の設定温度になるように、出湯用ミキシング弁２４を制御することになる。
【００６１】
上述したような各種の処理を実行して、前記バーナ５が燃焼して潜熱交換器１にて熱交換が行われると、上述したようなドレンが発生して、そのドレンがドレンタンク４４に貯留されることになる。
そして、前記制御部６は、前記上側検知センサ４８の検出情報に基づいて、ドレンタンク４４に貯留されるドレンの貯留量が排水開始用設定量よりも多くなったことを判別すると、ドレンタンク４４に貯留されるドレンを風呂用循環路１１を通して排水することが可能なドレン排水可能状態か、不可能なドレン排水不可能状態かを判別して、ドレン排水可能状態であると判別するとドレン排水処理を実行し、ドレン排水不可能状態であると判別すると、ドレン排水可能状態であると判別するまでドレン排水処理の実行を待機するように構成してある。
【００６２】
前記制御部６は、前記風呂自動運転処理及び前記追焚処理のいずれも実行しておらず、且つ、前記水位センサ２８にて浴槽Ｙの湯水が排水中であることを検出すると、ドレン排水可能状態であると判別し、上述したように、風呂用循環路１１が使用中のとき又は前記浴槽Ｙに湯水が存在していると判別したときに、前記ドレン排水不可能状態であると判別するように構成してある
【００６３】
そして、前記制御部６は、前記水位センサ２８の検出情報に基づいて、浴槽Ｙの水位が低下する状態であり且つ浴槽Ｙの水位が前記循環アダプタ２６以下になると、浴槽Ｙの湯水が排水中であることを検出するように構成してある。
【００６４】
前記制御部６は、ドレン排水処理では、前記ドレン排水用三方弁４７をドレン排水状態に切り換え、前記風呂用循環ポンプ２７を駆動させて、前記ドレンタンク４４内のドレンを風呂循環路１１を通して浴槽Ｙの排水口から排水し、前記下側検知センサ４９の検出情報に基づいて、ドレンタンク４４に貯留されるドレンの貯留量が排水停止用設定量よりも少なくなったことを判別すると、前記風呂用循環ポンプ２７を停止させ、前記ドレン排水用三方弁４７を循環路開放状態に切り換えて、ドレン排水処理を停止するように構成してある。
【００６５】
前記制御部６には、図２のＬ１に示す如き、前記バーナ５の燃焼量が大きくなるほど前記バーナ５の燃焼ガスの露点温度が高くなる形態で、前記バーナ５の燃焼量と前記バーナ５の燃焼ガスの露点温度との関係として定められた燃焼量対露点温度情報を記憶させてある。
ちなみに、この燃焼量対露点温度情報は、実験等により求めたものである。
【００６６】
そして、前記制御部５を、前記バーナ５の燃焼開始後における前記露点用温度センサＳｄの検出温度の径時変化に基づいて、その検出温度の上昇率が露点検出用の設定上昇率以下になったときの検出温度を現在の前記バーナ５の燃焼量に対応する露点温度として検出するように構成し、且つ、その検出した露点温度に基づいて前記燃焼量対露点温度情報を補正するように構成してある。
【００６７】
つまり、バーナ５の燃焼開始後は、バーナ５の燃焼ガス中の水蒸気が排気筒１９の内面にて凝縮する状態で、排気筒１９の内面の温度が上昇するが、その温度が燃焼ガスの露点温度又はそれに近い温度に上昇すると、バーナ５の燃焼ガス中の水蒸気が凝縮しつつ、排気筒１９の内面に付着した凝縮水が蒸発するので、蒸発潜熱が奪われることにより、排気筒１９の内面の温度上昇率が小さくなる又はゼロになり、排気筒１９の内面に付着した凝縮水が完全に蒸発すると、排気筒１９の内面の温度が再び上昇する。
従って、図３に示すように、バーナの燃焼開始後における露点用温度センサＳｄの経時変化は、燃焼ガスの露点温度又はそれに近い温度にまで上昇すると、その上昇率がゼロ又はゼロに近くなって、再び上昇する形態となる。
【００６８】
そこで、露点検出用の設定上昇率をゼロ又はゼロに近い値に設定することにより、バーナ５の燃焼開始後の露点用温度センサＳｄの検出温度の上昇率が露点検出用の設定上昇率以下になったときの検出温度を、現在のバーナ５の燃焼量に対応する露点温度として検出するようにすることが可能となる。
【００６９】
そして、例えば、図２のＬ１にて示す如く、予め記憶している如き燃焼量対露点温度情報を、例えば、検出した露点温度と燃焼量対露点温度情報における現在のバーナ５の燃焼量に対応する露点温度との差だけ平行移動する等、検出した露点温度に基づいて、燃焼量対露点温度情報を補正することにより、実際の熱源機に適応するように補正することができる。
【００７０】
以下、前記潜熱回収運転及び前記潜熱未回収運転について、説明を加える。
先ず、前記潜熱回収運転について、説明する。
前記熱媒循環ポンプ４の回転速度とその熱媒循環ポンプ４による熱媒の循環量とは、比例関係にある等、相関関係があるので、図４に示すように、前記潜熱回収用の設定循環量として、潜熱回収用の設定回転速度を要求出力が大きくなるほど速くする形態で、要求出力に応じて設定して、回転速度対要求出力情報として前記制御部６に記憶させてある。
そして、制御部６は、潜熱回収運転では、下記の式１にて現在の要求出力を求めて、その求めた現在の要求出力に対応する潜熱回収用の設定回転速度を回転速度対要求出力情報から求めて、その求めた潜熱回収用の設定回転速度を目標回転速度として、熱媒循環ポンプ４の回転速度を目標回転速度に調節することにより、熱媒を潜熱回収用の設定循環量で循環させるように熱媒循環ポンプ４を運転するように構成してある。
【００７１】
Ｐ＝｛（Ｔｓ−Ｔｘ）×Ｑｗ｝÷Ｋ……………（式１）
但し、
Ｐ：要求出力（ｋＷ）
Ｔｓ：加熱目標温度（°Ｃ）
Ｔｘ：一般給湯処理や自動湯張り処理においては、給湯用熱交換器１０への給水温度（°Ｃ）であり、給水温度センサＳｗにて検出され、追焚処理では、風呂用熱交換器１２へ供給される湯水の温度（°Ｃ）であり、戻り温度センサＳｂにて検出される。
Ｑｗ：一般給湯処理や自動湯張り処理においては、給湯用熱交換器１０への給水量であり、給水量センサ２２にて検出され、追焚処理では、風呂用熱交換器１２へ供給される湯水の流量であり、風呂用循環ポンプ２７の回転速度に基づいて求められる。
Ｋ：単位をカロリーからワットに変換するための係数であり、例えば、「８６０」に設定される。
【００７２】
尚、一般給湯処理と追焚処理とを併行して実行するときは、給湯用熱交換器１０について上記の式１により求めた要求出力と、風呂用熱交換器１２について上記の式１により求めた要求出力とを加えることにより現在の要求出力を求めて、その求めた現在の要求出力に対応する潜熱回収用の設定回転速度を回転速度対要求出力情報から求めることになる。
【００７３】
又、図５に示すように、潜熱回収用の設定温度を加熱目標温度が高くなるほど高くする形態で、加熱目標温度に応じて設定して、設定温度対加熱目標温度情報として前記制御部６に記憶させてある。
そして、前記制御部６は、設定温度対加熱目標温度情報に基づいて加熱目標温度に対応する潜熱回収用の設定温度を求め、その求めた潜熱回収用の設定温度を目標顕熱交換器出口温度として、下記の式２に基づいて、前記顕熱交換器出口温度センサＳｏの検出温度を目標顕熱交換器出口温度にするための前記バーナ５の目標燃焼量を求めて、その求めた目標燃焼量になるように前記ガス比例弁１６を制御するように構成してある。
【００７４】
Ｉｐ＝｛（Ｔｓ−Ｔｘ）×Ｑｗ×β＋（Ｔｐ−Ｔｏ）×Ｑｎ×γ｝÷Ｋ……………（式２）
但し、
Ｉｐ：目標燃焼量（ｋＷ）
Ｔｐ：目標顕熱交換器出口温度（°Ｃ）
Ｔｏ：顕熱交換器出口温度センサＳｏにて検出された顕熱交換器出口温度（°Ｃ）
Ｑｎ：熱媒循環路３の熱媒循環量であり、熱媒循環ポンプ４の回転速度に基づいて求められる。
β、γ：定数
Ｔｓ、Ｔｘ、Ｑｗ、Ｋは、上記の式１について説明した通りである。
【００７５】
つまり、前記給水温度センサＳｗ又は前記戻り温度センサＳｂと前記顕熱交換器出口温度センサＳｏ夫々の検出情報に基づいて、前記顕熱交換器出口温度センサＳｏの検出温度が目標顕熱交換器出口温度になるように、フィードフォワード制御及びフィードバック制御により、バーナ５の燃焼量を調節する構成としてある。
【００７６】
図２のＬ２は、上述のように、潜熱回収運転にて、熱媒を潜熱回収用の設定循環量で循環させるように前記熱媒循環ポンプ４を運転し、前記顕熱交換器２にて加熱された熱媒の温度が潜熱回収用の設定温度になるように前記バーナ５の燃焼量を制御した場合において、前記給湯用熱交換器１０又は前記風呂用熱交換器１２に供給される湯水の温度により変化する可能性はあるものの、バーナ５の燃焼量と、前記給湯用熱交換器１０又は前記風呂用熱交換器１２にて湯水と熱交換したのち潜熱交換器１に供給される熱媒の潜熱交換器入口温度とのおおよその関係を示したものである。
つまり、図４に示す回転速度対要求出力情報、及び、図５に示す設定温度対加熱目標温度情報は、図２のＬ１、Ｌ２にて示すように、Ｌ２にて示す熱媒の潜熱交換器入口温度を、バーナ５の燃焼量調節範囲における極力広い範囲にわたって、Ｌ１にて示すバーナ５の燃焼ガスの露点温度よりも低くするように、実験により設定したものである。
【００７７】
そして、熱媒の潜熱交換器入口温度を燃焼ガスの露点温度よりも低くすると、潜熱交換器１においてバーナ５の燃焼ガスの潜熱を回収することができるものであり、そのように熱媒の潜熱交換器入口温度が燃焼ガスの露点温度よりも低くなる燃焼量の範囲（図２においてＬ１とＬ２とが交差する燃焼量Ｗ１以上の範囲）を広くすることにより、燃焼量調節範囲の極力広い範囲にわたって、バーナ５の燃焼ガスの潜熱を回収する状態で運転することが可能となり、加熱効率を向上することができる。
【００７８】
次に、前記潜熱未回収運転について、説明を加える。
前述のように、前記熱媒循環ポンプ４の回転速度とその熱媒循環ポンプ４による熱媒の循環量とは、比例関係にある等、相関関係があるので、前記潜熱未回収用の設定循環量を、潜熱未回収用の設定回転速度として設定してある。その潜熱未回収用の設定回転速度は、熱媒循環ポンプ４の回転速度調節範囲における最大回転速度に設定して、前記潜熱未回収用の設定循環量を最大の循環量に設定してある。
そして、制御部６は、潜熱未回収用の設定回転速度を目標回転速度として、熱媒循環ポンプ４の回転速度を目標回転速度に調節することにより、熱媒を潜熱未回収用の設定循環量で循環させるように熱媒循環ポンプ４を運転するように構成してある。
【００７９】
又、前記潜熱未回収用の設定温度は、顕熱交換器出口温度の調節範囲における最高温度（例えば、８０°Ｃ）に設定してある。
そして、前記制御部６は、潜熱未回収用の設定温度を目標顕熱交換器出口温度として、上記の式２に基づいて、前記顕熱交換器出口温度センサＳｏの検出温度を目標顕熱交換器出口温度にするための前記バーナ５の目標燃焼量を求めて、その求めた目標燃焼量になるように前記ガス比例弁１６を制御するように構成してある。
【００８０】
つまり、上記の潜熱回収運転と同様に、前記給水温度センサＳｗ又は前記戻り温度センサＳｂと前記顕熱交換器出口温度センサＳｏ夫々の検出情報に基づいて、前記顕熱交換器出口温度センサＳｏの検出温度が目標顕熱交換器出口温度になるように、フィードフォワード制御及びフィードバック制御により、バーナ５の燃焼量を調節する構成としてある。
【００８１】
上述のように、熱媒循環路３における熱媒循環量を極力多くし、且つ、熱媒の顕熱交換器出口温度を極力高くすることにより、熱媒循環路３を通流する熱媒に保有させる熱量を多くして、加熱用熱交換器Ｈを通過させて湯水と熱交換させた後に、潜熱交換器１に供給される熱媒の潜熱交換器入口温度を極力高くすることができる。
【００８２】
図２のＬ３は、上述のように、潜熱未回収運転にて、熱媒を潜熱未回収用の設定循環量で循環させるように前記熱媒循環ポンプ４を運転し、前記顕熱交換器２にて加熱された熱媒の温度が潜熱未回収用の設定温度になるように前記バーナ５の燃焼量を制御した場合において、前記給湯用熱交換器１０又は前記風呂用熱交換器１２に供給される湯水の温度により変化する可能性はあるものの、バーナ５の燃焼量と、前記給湯用熱交換器１０又は前記風呂用熱交換器１２にて湯水と熱交換したのち潜熱交換器１に供給される熱媒の潜熱交換器入口温度とのおおよその関係を示したものである。
つまり、熱媒循環路３における熱媒循環量をその調節範囲における最大循環量とすることにより、前記給湯用熱交換器１０又は前記風呂用熱交換器１２での湯水との熱交換による熱媒の温度降下を小さくしながら、熱媒の顕熱交換器出口温度をその調節範囲における最高温度と高くすることにより、前記給湯用熱交換器１０又は前記風呂用熱交換器１２での湯水との熱交換後に潜熱交換器１に供給される熱媒の潜熱交換器入口温度を高くすることができ、図３のＬ１、Ｌ３にて示すように、Ｌ３にて示す熱媒の潜熱交換器入口温度を、バーナ５の燃焼量調節範囲における極力広い範囲にわたって、Ｌ１にて示すバーナ５の燃焼ガスの露点温度よりも高くすることができる。
【００８３】
そして、熱媒の潜熱交換器入口温度をバーナ５の燃焼ガスの露点温度よりも高くすることにより、潜熱交換器１にて燃焼ガスから潜熱を回収させないようにして、ドレンの発生を防止することができるものであり、そのように熱媒の潜熱交換器入口温度がバーナ５の燃焼ガスの露点温度よりも高くなる燃焼量の範囲（図２においてＬ１とＬ３とが交差する燃焼量Ｗ２以下の範囲）を広くすることにより、燃焼量調節範囲の極力広い範囲にわたって、バーナ５の燃焼ガスの潜熱を回収しない状態で運転することが可能となり、ドレン発生を的確に抑制することが可能となる。
【００８４】
潜熱未回収運転を実行するにしても、図２に示すように、バーナ５の燃焼量がＷ２よりも大きくなると、熱媒の潜熱交換器入口温度が燃焼ガスの露点温度よりも低くなって、潜熱交換器１にてドレンが発生する虞がある。
そこで、前記制御部６を、潜熱未回収運転においては、バーナ５の燃焼量の調節範囲の最大値を潜熱回収運転における最大値よりも小さい制限最大燃焼量（例えばＷ２）に設定して、その設定した燃焼量調節範囲でバーナ５の燃焼量を調節するように構成してある。
【００８５】
又、前記制御部６を、潜熱未回収運転において、前記燃焼量対露点温度情報、及び、前記潜熱交換器入口温度センサＳｉの検出情報に基づいて、前記潜熱交換器１に供給される熱媒の温度、即ち、潜熱交換器入口温度が現在の前記バーナ５の燃焼量に対応する露点温度以下であると判断すると、前記バーナ５の燃焼量調節範囲を変更設定して、その変更設定した燃焼量調節範囲で前記バーナ５の燃焼量を調節するように構成してある。
具体的には、前記制限最大燃焼量を設定低下率（例えば１０％）低下させるように補正して、前記バーナ５の燃焼量調節範囲を変更設定するように構成してある。
【００８６】
尚、上述のように、バーナ５の燃焼量調節範囲の最大値を制限最大燃焼量に設定することにより、加熱目標温度の湯を給湯できない場合は、前記水比例弁２５により給湯量を少なくすることにより、加熱目標温度の湯を給湯できるように構成してある。
つまり、前記制御部６を、バーナ５の燃焼量を制限最大燃焼量に調節した場合に、前記給湯温度センサＳｈの検出温度が加熱目標温度よりも低くなると、その検出温度が加熱目標温度になるように前記水比例弁２５を制御するように構成してある。
【００８７】
更に、前記制御部６を、潜熱未回収運転において、前記燃焼量対露点温度情報及び前記潜熱交換器入口温度センサＳｉの検出情報に基づいて、前記潜熱交換器１に供給される熱媒の温度を現在の前記バーナ５の燃焼量に対応する燃焼ガスの露点温度よりも高い状態で低温側に調節すべく、前記潜熱未回収用の設定温度を変更設定するように構成してある。
【００８８】
説明を加えると、前記制御部６を、潜熱未回収運転において、下記の式３にて、顕熱交換器入口温度を現在の前記バーナ５の燃焼量に対応する燃焼ガスの露点温度よりも高い状態で極力低温側に調節するための潜熱未回収用の最適設定温度Ｔｍ'を求めて、その求めた潜熱未回収用の最適設定温度Ｔｍ'を目標顕熱交換器出口温度として、上記の式２に基づいて、前記顕熱交換器出口温度センサＳｏの検出温度を目標顕熱交換器出口温度にするための前記バーナ５の目標燃焼量を演算して、その演算した目標燃焼量になるように前記ガス比例弁１６を制御するように構成してある。
【００８９】
Ｔｍ'＝｛（Ｔｓ−Ｔｘ）×Ｑｗ｝÷Ｑｎ＋Ｔｄ……………（式３）
但し、
Ｔｍ'：潜熱未回収用の最適設定温度
Ｑｎ：熱媒循環路３の熱媒循環量であり、熱媒循環ポンプ４の回転速度に基づいて求められる。
Ｔｄ：現在のバーナ５の燃焼量に対応する燃焼ガスの露点温度であり、前記燃焼量対露点温度情報に基づいて求められる。
Ｔｓ、Ｔｘ、Ｑｗは、上記の式１について説明した通りである。
【００９０】
上記の式３において、「（Ｔｓ−Ｔｘ）×Ｑｗ」の項は、給湯用熱交換器１０や風呂用熱交換器１２において要求されるカロリー単位での要求出力であり、一般給湯処理と追焚処理が併行して実行するときは、「（Ｔｓ−Ｔｘ）×Ｑｗ」の項は、給湯用熱交換器１０について求めた要求出力と風呂用熱交換器１２について求めた要求出力とを加えたものとなる。
【００９１】
「（Ｔｓ−Ｔｘ）×Ｑｗ」は、給湯用熱交換器１０や風呂用熱交換器１２において熱媒から湯水に与えられた熱量であり、その熱媒から湯水に与えられた熱量を熱媒の循環量Ｑｎにて除することにより、給湯用熱交換器１０や風呂用熱交換器１２に流入する熱媒の温度と給湯用熱交換器１０や風呂用熱交換器１２から流出する熱媒の温度との差が求められ、その温度差に燃焼ガスの露点温度Ｔｄを加えた温度が、潜熱未回収用の最適設定温度Ｔｍ'になる。
そして、熱媒の顕熱交換器出口温度を潜熱未回収用の最適設定温度Ｔｍ'に調節することにより、給湯用熱交換器１０や風呂用熱交換器１２において湯水と熱交換した後の熱媒の温度、即ち、潜熱交換器１に供給される熱媒の潜熱交換器入口温度を、そのときのバーナ５の燃焼量に対応する燃焼ガスの露点温度よりも高い状態にしながら、その露点温度に極力近づけるように低くすることが可能となり、ドレン発生を的確に抑制しながら、潜熱交換器１における熱交換効率を向上して、加熱効率を向上することができる。
【００９２】
つまり、上述のように潜熱未回収用の最適設定温度Ｔｍ'を求めて、その求めた潜熱未回収用の最適設定温度Ｔｍ'を目標顕熱交換器出口温度に設定することにより、前記潜熱交換器１に供給される熱媒の温度、即ち、顕熱交換器入口温度を現在の前記バーナ５の燃焼量に対応する燃焼ガスの露点温度よりも高い状態で低温側に調節すべく、前記潜熱未回収用の設定温度を変更設定する構成としてある。
【００９３】
又、前記制御部５は、潜熱未回収運転において、求めた潜熱未回収用の最適設定温度Ｔｍ'が潜熱未回収用の設定温度以上のときは、目標顕熱交換器出口温度を潜熱未回収用の設定温度に設定し、求めた潜熱未回収用の最適設定温度Ｔｍ'が潜熱未回収用の設定温度よりも低く且つ加熱目標温度に余裕用設定温度（例えば１０°Ｃ）を加えた温度よりも高いときは、目標顕熱交換器出口温度をその潜熱未回収用の最適設定温度Ｔｍ'に設定し、求めた潜熱未回収用の最適設定温度Ｔｍ'が潜熱未回収用の設定温度よりも低く且つ加熱目標温度に余裕用設定温度を加えた温度以下のときは、目標顕熱交換器出口温度を、前記設定温度対加熱目標温度情報に基づいて求めた潜熱回収用の設定温度に設定するように構成してある。
【００９４】
つまり、潜熱未回収用の最適設定温度Ｔｍ'が、加熱目標温度に余裕用設定温度を加えた温度よりも低いときは、前記出湯用ミキシング弁２４や追焚用ミキシング弁３７の調節により加熱目標温度の湯を出湯できない虞があるので、潜熱未回収用の最適設定温度Ｔｍ'が、加熱目標温度に余裕用設定温度を加えた温度よりも低いときは、目標顕熱交換器出口温度を、前記設定温度対加熱目標温度情報に基づいて求めた潜熱回収用の設定温度に設定して、前記出湯用ミキシング弁２４や追焚用ミキシング弁３７の調節により、加熱目標温度の湯を出湯できるように構成してある。
【００９５】
以下、図６ないし図８に示すフローチャートに基づいて、潜熱回収運転及び潜熱未回収運転における制御部６の制御動作を説明する。
図６に示すように、ステップ＃１において、一般給湯処理、自動湯張り処理及び追焚処理のうちの少なくとも一つを実行する必要があって、バーナ５を燃焼させる必要があるか否かを判別して、バーナ５を燃焼させる必要があると判別した場合は、ドレン貯留量が排水開始用設定量以上であり且つドレン排水不可能状態である場合は、潜熱未回収運転を実行し、ドレン貯留量が排水開始用設定量以上であり且つドレン排水不可能状態でない場合は、潜熱回収運転を実行する（ステップ＃２〜４）。
つまり、ドレン貯留量が排水開始用設定量以上であっても、ドレン排水不可能状態でない場合は、ドレンタンク４４のドレンを排出することが可能であり、又、ドレン排水不可能状態であっても、ドレン貯留量が排水開始用設定量未満の場合は、更にドレンを発生することが可能であるので、いずれの場合も、潜熱回収運転を実行することが可能である。
ステップ＃１において、バーナ５を燃焼させる必要がないと判別したときは、バーナ５の燃焼を停止する燃焼停止制御を実行する（ステップ＃５）。
【００９６】
図７に基づいて、潜熱回収運転における制御動作を説明する。
バーナ５が燃焼中か否かを判別して、燃焼中でない場合は、バーナ５を点火する点火制御を実行し、現在の要求出力に対応する潜熱回収用の設定回転速度Ｒｋを前記回転速度対要求出力情報から求めて、その求めた潜熱回収用の設定回転速度Ｒｋを熱媒循環ポンプ４の目標回転速度Ｒｐに設定する（ステップ＃１１〜１３）。
続いて、前記設定温度対加熱目標温度情報に基づいて加熱目標温度に対応する潜熱回収用の設定温度Ｔｋを求め、その求めた潜熱回収用の設定温度Ｔｋを目標顕熱交換器出口温度Ｔｐに設定し、上記の式２に基づいて、前記顕熱交換器出口温度センサＳｏの検出温度を目標顕熱交換器出口温度Ｔｐにするための前記バーナ５の目標燃焼量Ｉｐを演算する（ステップ＃１４，１５）。
続いて、前記熱媒循環ポンプ４の回転速度を目標回転速度Ｒｐに調節し、前記バーナ５の燃焼量が目標燃焼量Ｉｐになるようにガス比例弁１６を調節し、上述の如く出湯用ミキシング弁２４又は追焚用ミキシング弁３７を制御する（ステップ＃１６〜１８）。
【００９７】
図８に基づいて、潜熱未回収運転における制御動作を説明する。
バーナ５が燃焼中か否かを判別して、燃焼中でない場合は、バーナ５を点火する点火制御を実行し、初期運転用時間が経過していない場合は、熱媒循環ポンプ４の目標回転速度Ｒｐを潜熱未回収用の設定回転速度Ｒｍに設定し、目標顕熱交換器出口温度Ｔｐを潜熱未回収用の設定温度Ｔｍに設定し、バーナ５の燃焼量の調節範囲の最大値を制限最大燃焼量Ｉｒに設定する（ステップ＃２１〜２６）。
続いて、上記の式２に基づいて、前記顕熱交換器出口温度センサＳｏの検出温度を目標顕熱交換器出口温度Ｔｐにするための前記バーナ５の目標燃焼量Ｉｐを演算し、求めた目標燃焼量Ｉｐが制限最大燃焼量Ｉｒよりも大きいときは、目標燃焼量Ｉｐを制限最大燃焼量Ｉｒに変更設定する（ステップ２７〜２９）。
続いて、前記熱媒循環ポンプ４の回転速度を目標回転速度Ｒｐに調節し、前記バーナ５の燃焼量が目標燃焼量Ｉｐになるようにガス比例弁１６を調節し、上述の如く出湯用ミキシング弁２４又は追焚用ミキシング弁３７を制御する（ステップ＃３０〜３２）。
【００９８】
尚、前記初期運転用時間は、バーナ５の燃焼開始後、そのバーナ５の燃焼ガスにより前記潜熱交換器１及び前記顕熱交換器２にて加熱される熱媒の温度が平衡状態になるのに要する時間に設定する。
【００９９】
前記ステップ＃２３において前記初期運転用時間が経過したと判別すると、ステップ＃３３において、前記潜熱交換器入口温度センサＳｉにて検出される潜熱交換器入口温度が、前記燃焼量対露点温度情報から求めた現在のバーナ５の燃焼量に対応する露点温度よりも高いか否かを判別して、潜熱交換器入口温度が露点温度以下であると判別した場合は、制限最大燃焼量Ｉｒを設定低下率低下させるように補正して、目標顕熱交換器出口温度Ｔｐを潜熱未回収用の設定温度Ｔｍに設定して（ステップ＃３４，３５）、上述した如く、ステップ＃２７〜３２の制御を実行する。
【０１００】
前記ステップ＃３３において、潜熱交換器入口温度が露点温度よりも高いと判別した場合は、上記の式３により、潜熱未回収用の最適設定温度Ｔｍ'を演算して、その演算した潜熱未回収用の最適設定温度Ｔｍ'が潜熱未回収用の設定温度Ｔｍよりも低いか否かを判別する（ステップ＃３６，３７）。
ステップ＃３７にて、潜熱未回収用の最適設定温度Ｔｍ'が潜熱未回収用の設定温度Ｔｍよりも低いと判別した場合は、演算した潜熱未回収用の最適設定温度Ｔｍ'が加熱目標温度Ｔｓに余裕用設定温度αを加えた温度よりも高いか否かを判別して、高いときは、目標顕熱交換器出口温度Ｔｐを潜熱未回収用の最適設定温度Ｔｍ'に設定し、一方、潜熱未回収用の最適設定温度Ｔｍ'が加熱目標温度Ｔｓに余裕用設定温度αを加えた温度以下のときは、目標顕熱交換器出口温度Ｔｐを、前記設定温度対加熱目標温度情報から加熱目標温度に対応するものとして求めた潜熱回収用の設定温度Ｔｋに設定して、上述した如く、ステップ＃２７〜３２の制御を実行する。
【０１０１】
又、ステップ＃３７にて、潜熱未回収用の最適設定温度Ｔｍ'が潜熱未回収用の設定温度Ｔｍ以上であると判別した場合は、目標顕熱交換器出口温度Ｔｐを潜熱未回収用の設定温度Ｔｍに設定して、上述した如く、ステップ＃２７〜３２の制御を実行する。
【０１０２】
〔第２実施形態〕
以下、本発明の第２実施形態を説明するが、この第２実施形態は潜熱未回収運転の別の実施形態を説明するものであるので、主として潜熱未回収運転について説明して、熱源装置の全体構成等、上記の第１実施形態と同様の構成については、説明を省略する。
【０１０３】
この第２実施形態では、前記制御部６を、前記潜熱未回収運転において、前記燃焼量対露点温度情報及び前記潜熱交換器入口温度センサＳｉの検出情報に基づいて、前記潜熱交換器１に供給される熱媒の温度を現在の前記バーナ５の燃焼量に対応する燃焼ガスの露点温度よりも高い状態で低温側に調節すべく、前記潜熱未回収用の設定循環量を変更設定するように構成してある。
【０１０４】
説明を加えると、前記制御部６を、前記潜熱未回収運転において、下記の式４にて、前記潜熱交換器１に供給される熱媒の温度、即ち、潜熱交換器入口温度を現在の前記バーナ５の燃焼量に対応する燃焼ガスの露点温度よりも高い状態で極力低温側に調節するための潜熱未回収用の最適循環量Ｑｍ'を求めると共に、前記熱媒循環路３の熱媒循環量をその潜熱未回収用の最適循環量Ｑｍ'にするための前記熱媒循環ポンプ４の回転速度である潜熱未回収用の最適設定回転速度Ｒｍ'を求めて、前記熱媒循環ポンプ４の回転速度をその求めた潜熱未回収用の最適設定回転速度Ｒｍ'に調節するように構成してある。
【０１０５】
Ｑｍ'＝｛（Ｔｓ−Ｔｘ）×Ｑｗ｝÷（Ｔｆ−Ｔｄ）……………（式４）
但し、
Ｑｍ'：潜熱未回収用の最適設定回転速度
Ｔｆ：予め設定した顕熱交換器出口温度（例えば、上記の式３にて求めた潜熱未回収用の最適設定温度Ｔｍ'に設定する。）
Ｔｄ：現在のバーナ５の燃焼量に対応する燃焼ガスの露点温度であり、前記燃焼量対露点温度情報に基づいて求められる。
Ｔｓ、Ｔｘ、Ｑｗは、上記の式１について説明した通りである。
【０１０６】
上記の式４において、「（Ｔｓ−Ｔｘ）×Ｑｗ」の項は、給湯用熱交換器１０や風呂用熱交換器１２において要求されるカロリー単位での要求出力であり、一般給湯処理と追焚処理が併行して実行するときは、「（Ｔｓ−Ｔｘ）×Ｑｗ」の項は、給湯用熱交換器１０について求めた要求出力と風呂用熱交換器１２について求めた要求出力とを加えたものとなる。
【０１０７】
「（Ｔｓ−Ｔｘ）×Ｑｗ」は、給湯用熱交換器１０や風呂用熱交換器１２において熱媒から湯水に与えられた熱量であり、「Ｔｆ−Ｔｄ」は、給湯用熱交換器１０や風呂用熱交換器１２において熱媒が湯水に熱を与えることにより変化する熱媒の温度であるので、「（Ｔｓ−Ｔｘ）×Ｑｗ」を「Ｔｆ−Ｔｄ」にて除することにより、給湯用熱交換器１０や風呂用熱交換器１２を通過して潜熱交換器１に流入する熱媒の温度が燃焼ガスの露点温度になる熱媒の循環量を求めることができ、その熱媒の循環流量が潜熱未回収用の最適循環量Ｑｍ'になる。
そして、熱媒の循環流量を潜熱未回収用の最適循環量Ｑｍ'に調節することにより、給湯用熱交換器１０や風呂用熱交換器１２において湯水と熱交換した後の熱媒の温度、即ち、潜熱交換器１に供給される熱媒の潜熱交換器入口温度を、そのときのバーナ５の燃焼量に対応する燃焼ガスの露点温度に近づけるように低くすることが可能となり、潜熱交換器１における熱交換効率を向上して、加熱効率を向上することができる。
【０１０８】
つまり、上述のように潜熱未回収用の最適循環量Ｑｍ'を求めると共に、前記熱媒循環路３の熱媒循環量をその潜熱未回収用の最適循環量Ｑｍ'にするための前記熱媒循環ポンプ４の回転速度である潜熱未回収用の最適設定回転速度Ｒｍ'を求めて、その求めた潜熱未回収用の最適設定回転速度Ｒｍ'を前記熱媒循環ポンプ４の目標回転速度に設定することにより、前記潜熱交換器１に供給される熱媒の温度、即ち、顕熱交換器入口温度を現在の前記バーナ５の燃焼量に対応する燃焼ガスの露点温度よりも高い状態で低温側に調節すべく、前記潜熱未回収用の設定循環量を変更設定する構成としてある。
【０１０９】
以下、図９に示すフローチャートに基づいて、前記制御部５の潜熱未回収運転における制御動作を説明する。
バーナ５が燃焼中か否かを判別して、燃焼中でない場合は、バーナ５を点火する点火制御を実行し（ステップ＃５１，５２）、続いて、ステップ＃５３において初期運転用時間が経過しているか否かを判別して、経過していない場合は、ステップ＃５４〜６２を実行するが、このステップ＃５４〜６２は、上記の第１実施形態において説明した図８に示すフローチャートにおけるステップ＃２４〜３２と同様であるので、説明を省略する。
【０１１０】
前記ステップ＃５３において前記初期運転用時間が経過したと判別すると、ステップ＃６３において、前記潜熱交換器入口温度センサＳｉにて検出される潜熱交換器入口温度が、前記燃焼量対露点温度情報から求めた現在のバーナ５の燃焼量に対応する露点温度よりも高いか否かを判別して、潜熱交換器入口温度が露点温度以下であると判別した場合は、制限最大燃焼量Ｉｒを設定低下率低下させるように補正して、目標顕熱交換器出口温度Ｔｐを潜熱未回収用の設定温度Ｔｍに設定して（ステップ＃６４，６５）、図８に示すフローチャートにおけるステップ＃２７〜３２と同様のステップ＃５７〜６２の制御を実行する。
【０１１１】
前記ステップ＃６３において、潜熱交換器入口温度が露点温度よりも高いと判別した場合は、上記の式４により、潜熱未回収用の最適循環量Ｑｍ'を演算すると共に、その潜熱未回収用の最適循環量Ｑｍ'に対応する潜熱未回収用の最適設定回転速度Ｒｍ'を求め、その求めた潜熱未回収用の最適設定回転速度Ｒｍ'が潜熱未回収用の設定回転速度Ｒｍよりも低いか否かを判別し、潜熱未回収用の最適設定回転速度Ｒｍ'が潜熱未回収用の設定回転速度Ｒｍよりも低い場合は、目標回転速度Ｒｐを潜熱未回収用の最適設定回転速度Ｒｍ'に設定し、一方、潜熱未回収用の最適設定回転速度Ｒｍ'が潜熱未回収用の設定回転速度Ｒｍ以上の場合は、目標回転速度Ｒｐを潜熱未回収用の設定回転速度Ｒｍに設定して（ステップ＃６３，６６〜６９）、図８に示すフローチャートにおけるステップ＃２７〜３２と同様のステップ＃５７〜６２の制御を実行する。
【０１１２】
〔別実施形態〕
次に別実施形態を説明する。
（イ）  潜熱未回収運転において、燃焼量対露点温度情報及び潜熱交換器入口温度センサＳｉの検出情報に基づいて、潜熱交換器１に供給される熱媒の温度を現在のバーナ５の燃焼量に対応する燃焼ガスの露点温度よりも高い状態で低温側に調節すべく、潜熱未回収用の設定温度を変更設定する構成は、上記の第１実施形態において例示した構成、即ち、潜熱未回収用の最適設定温度に変更設定する構成に限定されるものではない。
例えば、前記燃焼量対露点温度情報及び前記潜熱交換器入口温度センサＳｉの検出情報に基づいて、潜熱交換器１に供給される熱媒の温度が現在のバーナ５の燃焼量に対応する燃焼ガスの露点温度よりも高い状態であることを確認しながら、潜熱未回収用の設定温度を下降用の設定温度ずつ段階的に下げるように変更設定するように構成しても良い。
【０１１３】
（ロ）  潜熱未回収運転において、燃焼量対露点温度情報及び潜熱交換器入口温度センサＳｉの検出情報に基づいて、潜熱交換器１に供給される熱媒の温度を現在のバーナ５の燃焼量に対応する燃焼ガスの露点温度よりも高い状態で低温側に調節すべく、潜熱未回収用の設定循環量を変更設定する構成は、上記の第２実施形態において例示した構成、即ち、潜熱未回収用の最適循環量に変更設定する構成に限定されるものではない。
例えば、前記燃焼量対露点温度情報及び前記潜熱交換器入口温度センサＳｉの検出情報に基づいて、潜熱交換器１に供給される熱媒の温度が現在のバーナ５の燃焼量に対応する燃焼ガスの露点温度よりも高い状態であることを確認しながら、潜熱未回収用の設定循環量を下降用の設定循環量ずつ段階的に下げるように変更設定するように構成しても良い。
【０１１４】
（ハ）  上記の各実施形態においては、露点用温度センサＳｄを排気筒１９の内面の温度を検出するように設けたが、潜熱交換器１の表面の温度を検出するように設けても良い。
【０１１５】
（ニ）  ドレンタンク４４に貯留されているドレンを排水するための構成は、上記の各実施形態において例示した構成に限定されるものではない。
例えば、風呂用循環路１１の往き路１１ｆにおける浴槽Ｙの手前の箇所にて、ドレン排水路を分岐接続すると共に、そのドレン排水路を開閉するドレン排水用開閉弁を設けて、そのドレン排水用開閉弁を開弁することにより、ドレン排水路を用いてドレンを浴室内の排水口から排水するように構成しても良い。
【０１１６】
（ホ）  潜熱交換器１に供給される熱媒の温度を現在のバーナ５の燃焼量に対応する燃焼ガスの露点温度よりも高い状態で低温側に調節すべく、上記の第１実施形態では、潜熱未回収用の設定温度を変更設定するように構成し、上記の第２実施形態では、潜熱未回収用の設定循環量を変更設定するように構成したが、潜熱未回収用の設定温度及び潜熱未回収用の設定循環量の両方を変更設定しても良い。
具体的には、潜熱未回収用の設定温度を潜熱未回収用の最適設定温度に変更設定し、潜熱未回収用の設定循環量を潜熱未回収用の最適循環量に変更設定するように構成する。
あるいは、燃焼量対露点温度情報及び潜熱交換器入口温度センサＳｉの検出情報に基づいて、潜熱交換器１に供給される熱媒の温度が現在のバーナ５の燃焼量に対応する燃焼ガスの露点温度よりも高い状態であることを確認しながら、潜熱未回収用の設定温度を下降用の設定温度ずつ段階的に下げるように変更設定し、且つ、潜熱未回収用の設定循環量を下降用の設定循環量ずつ段階的に下げるように変更設定するように構成しても良い。
【図面の簡単な説明】
【０１１７】
【図１】潜熱回収式の加熱装置の全体構成を示す図
【図２】燃焼量対露点温度情報、燃焼量と潜熱交換器入口温度との関係を示す図
【図３】バーナの燃焼開始後における排気筒の内面の温度の経時変化を説明する図
【図４】回転速度対要求出力情報を示す図
【図５】設定温度対加熱目標温度情報を示す図
【図６】第１実施形態に係る制御動作のフローチャートを示す図
【図７】第１実施形態に係る制御動作のフローチャートを示す図
【図８】第１実施形態に係る制御動作のフローチャートを示す図
【図９】第２実施形態に係る制御動作のフローチャートを示す図
【符号の説明】
【０１１８】
１          潜熱交換器
２          顕熱交換器
３          熱媒循環路
４          循環ポンプ
５          バーナ
６          制御手段
１１        給湯用配管
１９        排気筒
２４，３７  混合手段
４４        ドレンタンク
Ｄ          ドレン排水手段
Ｈ          加熱用熱交換器
Ｓｄ        露点用温度検出手段
Ｓｉ        潜熱交換器供給温度検出手段
Ｙ          浴槽
【図１】
2008008589.tif 000003
【図２】
2008008589.tif 000004
【図３】
2008008589.tif 000005
【図４】
2008008589.tif 000006
【図５】
2008008589.tif 000007
【図６】
2008008589.tif 000008
【図７】
2008008589.tif 000009
【図８】
2008008589.tif 000010
【図９】
2008008589.tif 000011